(57)【要約】【課題】優れた浸透率を長期間維持することができる浸透枡を提供する。【解決手段】分離槽（第一処理槽）１と、浸透槽（第二処理槽）２と、分離槽１と浸透槽２の各側面を連結させ、分離槽１に注入された処理水を浸透槽２に排水可能とする連結パイプ３を備えた構成とした。そして、分離槽１内において連結パイプ３の開口面３Ａ近傍に、この開口面３Ａへの浮遊ゴミ（異物）Ｙの侵入を阻止するためのゴミ止め部材（異物阻止部材）４を処理水の水位に合わせて上下動可能となるように設けた。【選択図】図１
0003128541.tif 000002
【実用新案登録請求の範囲】
【請求項１】
処理槽の側面に貫通孔が設けられ、前記処理槽内に注入された処理水が前記貫通孔を介して地中に排水されるようになっている浸透枡において、
前記処理槽内における前記貫通孔近傍に、当該貫通孔への異物の侵入を阻止するための異物阻止部材を、前記処理水の水位に合わせて上下動可能となるように設けたことを特徴とする浸透枡。
【請求項２】
第一処理槽と、第二処理槽と、前記第一処理槽及び前記第二処理槽の各側面を連結させ、前記第一処理槽内に注入された処理水を前記第二処理槽に排水可能とする連結管と、を備え、前記処理水が前記第一及び第二処理槽の少なくとも一方から地中に排水されるようになっているとともに、
前記第一処理槽内における前記連結管の開口部近傍に、当該開口部への異物の侵入を阻止するための異物阻止部材を、前記処理水の水位に合わせて上下動可能となるように設けたことを特徴とする浸透枡。
【請求項３】
前記連結管を、前記第一処理槽から前記第二処理槽に向かって上昇するように傾斜させたことを特徴とする請求項２に記載の浸透枡。
【請求項４】
前記連結管を、前記第一処理槽及び前記第二処理槽の高さ方向に二以上設けたことを特徴とする請求項２又は３に記載の浸透枡。
【請求項５】
前記第二処理槽の側面及び底面の少なくとも一つに、前記第一処理槽から排水された前記処理水を地中に排水可能とする排水管を設けたことを特徴とする請求項２から４のいずれかに記載の浸透枡。
【請求項６】
前記排水管の周面の少なくとも一部に、前記処理水を地中に排出可能とする排出口を設けたことを特徴とする請求項５に記載の浸透枡。
【考案の詳細な説明】
【技術分野】
【０００１】
本考案は、生活用水等の汚水や雨水を、地中に浸透させて排水するために用いる浸透枡に関するものである。
【背景技術】
【０００２】
従来、この種の浸透枡としては、有底又は無底の中空状円柱や中空状角柱等からなる処理槽を、その軸方向が鉛直方向に延伸するように地中に埋設して使用するものが一般的に知られている。この浸透枡は、処理槽内に注入された汚水や雨水等の処理水が、処理槽の底面や、処理槽の側面に設けられた貫通孔から地中に排水されるように構成されている。
【０００３】
しかしながら、処理水にゴミや塵等の異物が含有されていると、異物により貫通孔が閉塞され、浸透率が低下する場合があった。
特許文献１では、浸透枡をなす処理槽の側面に設けられた貫通孔の閉塞を防止するために、貫通孔を鉛直方向に延伸する長孔とすることが提案されている。この特許文献１に記載の浸透枡によれば、貫通孔を閉塞させる原因となる異物が、水位の低下に伴って貫通孔をなす長穴に沿って落下するようになるため、正方形や円形の貫通孔を設けた場合と比べて、貫通孔の閉塞を防止することができる。
【特許文献１】実開平７−３１９８８号公報
【考案の開示】
【考案が解決しようとする課題】
【０００４】
しかしながら、上述した特許文献１に記載の浸透枡においては、処理水の浸透速度、水位の増減速度、及び異物の種類等により貫通孔が閉塞される場合があるため、異物による貫通孔の閉塞を完全に防止して、優れた浸透率を長期間維持するという点でさらなる改善の余地があった。
【０００５】
また、上述した特許文献１に記載の浸透枡においては、浸透枡の底部に異物による沈殿物が蓄積されると、沈殿物により貫通孔が閉塞される場合があった。ここで、上述した特許文献１に記載の浸透枡において、底部に蓄積された沈殿物を除去する保守作業を定期的に行えば、優れた浸透率を長期間維持することが可能となるが、メンテナンス性が良好ではなくなるという新たな不具合が生じる。
【０００６】
そこで、本考案は、上記事情に鑑みてなされたものであり、優れた浸透率を長期間維持することができる浸透枡を提供することを課題としている。
【課題を解決するための手段】
【０００７】
このような課題を解決するために、本考案の請求項１に係る浸透枡は、処理槽の側面に貫通孔が設けられ、前記処理槽内に注入された処理水が前記貫通孔を介して地中に排水されるようになっている浸透枡において、前記処理槽内における前記貫通孔近傍に、当該貫通孔への異物の侵入を阻止するための異物阻止部材を、前記処理水の水位に合わせて上下動可能となるように設けた構成としている。
本考案の請求項１に係る浸透枡によれば、処理槽内における貫通孔近傍に、処理水の水位に合わせて上下動可能となるように異物阻止部材を設けたことにより、処理水の水位とともに移動する浮遊物（異物）が貫通孔に侵入し難くなるため、異物による貫通孔の閉塞を防止できる。よって、汚水や雨水等の処理水の浸透速度、水位の増減速度、及び異物の種類等に係らず、異物による貫通孔の閉塞を効率よく防止できるため、優れた浸透率を長期間維持することができる。
【０００８】
また、本考案の請求項２に係る浸透枡は、第一処理槽及び第二処理槽と、前記第一処理槽及び前記第二処理槽の各側面を連結させ、前記第一処理槽に注入された処理水を前記第二処理槽に排水可能とする連結管と、を備え、前記第一処理槽及び前記第二処理槽の少なくとも一方から前記処理水が地中に排水されるようになっているとともに、前記第一処理槽内における前記連結管の開口部近傍に、当該開口部への異物の侵入を阻止するための異物阻止部材を、前記処理水の水位に合わせて上下動可能となるように設けた構成としている。
なお、本考案の請求項２に係る浸透枡においては、第一処理槽及び第二処理槽の少なくとも一方から処理水を排水可能な構成とするのであれば特に限定されず、第一処理槽及び第二処理槽の両方から地中に排水可能な構成としてもよいし、第一処理槽及び第二処理槽のいずれか一方から地中に排水可能な構成としてもよい。
ここで、浸透率をより向上させるためには、第一処理槽及び第二処理槽の両方から排水可能とする構成とすることが好ましい。また、生活用水等の汚水を排水する場合には、第一処理槽で異物を除去して、処理水を清浄化した後に、第二処理槽から地中に排水可能な構成とすることが好ましい。
本考案の請求項２に係る浸透枡によれば、第一処理槽内における連結管の開口部近傍に、処理水の水位に合わせて上下動可能となるように異物阻止部材を設けたことにより、処理水の水位とともに移動する浮遊物（異物）が連結管内に進入し難くなるため、異物による連結管の閉塞を防止できる。よって、汚水や雨水等の処理水の浸透速度、水位の増減速度、及び異物の種類等に係らず、異物による連結管の閉塞を効率よく防止できるため、優れた浸透率を長期間維持することができる。
【０００９】
また、本考案の請求項２に係る浸透枡においては、前記連結管を、前記第一処理槽から前記第二処理槽に向かって上昇するように傾斜させた構成としてもよい。
この構成によれば、第一処理槽から第二処理槽への排水時に異物の侵入をより効果的に阻止することができるため、異物による連結管の閉塞をより効率よく防止できるため、優れた浸透率をさらに長期間維持することができる。
【００１０】
さらに、本考案の請求項２に係る浸透枡においては、前記連結管を、前記第一処理槽及び前記第二処理槽の高さ方向に二以上設けた構成としてもよい。
この構成によれば、第一処理槽の底部に異物の沈殿物が蓄積して、最下部に位置する連結管が閉塞された場合であっても、その上方に位置する連結管を利用して第一処理槽から第二処理槽への排水を行うことができるため、上述した特許文献１に記載の浸透枡の場合と比べて、底部に蓄積された沈殿物を除去する保守作業を頻繁に行わなくても、優れた浸透率を長期間維持することができる。
【００１１】
さらに、本考案の請求項２に係る浸透枡においては、前記第二処理槽の側面及び底面の少なくとも一つに、前記第一処理槽から排水された前記処理水を地中に排水可能とする排水管を設けた構成としてもよい。
この構成によれば、第二処理槽を無底として、底面のみから地中に排水する場合と比べて、より地表に近い部分から排水することができるため、水圧や水力が大きくなり、浸透率をより向上させることができる。  
【００１２】
さらに、本考案の請求項２に係る浸透枡においては、前記第二処理槽の側面に設けられる前記排水管の周面の少なくとも一部に、前記処理水を地中に排出可能とする排出口を設けた構成としてもよい。
この構成によれば、第二処理槽の側面から排水される処理水を、排水管の端部のみならず、排水管の周面からも散水することができるため、浸透率をより向上させることができる。
【考案の効果】
【００１３】
本考案に係る浸透枡によれば、処理槽内における貫通孔や連結管の近傍に、処理水の水位に合わせて上下動可能となるように異物阻止部材を設けたことにより、処理水に異物が含有されている場合であっても、異物による貫通孔や連結管の閉塞を防止することができるため、優れた浸透率を長期間維持することができる。
【考案を実施するための最良の形態】
【００１４】
以下、本考案に係る実施形態について図面を参照しながら説明する。
【００１５】
＜第一実施形態＞
図１は、本考案に係る浸透枡の一例を示し、（ａ）は平面図、（ｂ）は図１（ａ）のＡ−Ａ断面図である。図２は、本考案に係る浸透枡で用いられる排水パイプについて示す斜視図である。図３は、本考案に係る浸透枡の一使用例を示す断面図である。
【００１６】
この浸透枡１０Ａは、図1に示すように、有底の中空状円柱からなるコンクリート製の分離槽（第一処理槽）１と、この分離槽１と同一形状のコンクリート製の浸透槽（第二処理槽）２と、からなる。また、分離槽１と浸透槽２とはそれらの側面が連結パイプ（連結管）３で連結され、分離槽１に注入されて貯留された処理水（雨水や汚水）が浸透槽２に排水可能となっている。
なお、この浸透枡１０Ａは、地中に掘削加工を施して設けた孔の内部に設置され、分離槽１や浸透槽２の外周面に割れ栗石や砂利を埋め戻すことで、地中に埋設されている。
【００１７】
連結パイプ３は、分離槽１から浸透槽２に向かって上昇するように傾斜させた状態で、その軸方向両端の開口面３Ａ，３Ｂが、分離槽１の側面に設けられた開口面１Ａと、浸透槽２の側面に設けられた開口面２Ａとにそれぞれ固定されている。また、連結パイプ３は、分離槽１及び浸透槽２の高さ方向に所定間隔を空けて、略同一勾配で３本設けられている。さらに、連結パイプ３は、その軸方向両端の開口面３Ａ，３Ｂが分離槽１及び浸透槽２の内側面と略面一となるように設けられている。
【００１８】
分離槽１の内部において、その連結パイプ３の開口面（開口部）３Ａ近傍には、分離槽１の内部に貯留された処理水の水位に合わせて上下動可能なゴミ止め部材（異物阻止部材）４が設けられている。
すなわち、このゴミ止め部材４は、連結パイプ３の開口面３Ａよりも大きな面を有するゴム製の平板部材４１と、この平板部材４１の一端に固定された円柱状の浮き部材４２と、からなり、分離槽１の内部に鉛直方向に延伸して設けられた一対の支持棒４３に浮き部材４２の両端が上下動可能なように固定されている。
これにより、分離槽１の内部に貯留された処理水の水面に浮き部材４２が浮かんだ状態で平板部材４１が水面下に鉛直方向に向かって配置されるため、処理水の水位の変化に伴ってゴミ止め部材４が上下動可能になっている。
【００１９】
浸透槽２の側面において、浸透槽２における連結パイプ３の最下端の開口面３Ｂよりも低い位置には、開口面２Ｂが設けられている。そして、この開口面２Ｂには、図２に示すように、中空状の半円柱からなる排水パイプ（排水管）５の軸方向一端側が、その円弧面を底面側に、排出口５ａとなる開口面を上面側に配置した状態で固定されている。
また、浸透槽２から外側に突設された排水パイプ５の外周面近傍には、排水の浸透率を向上させるために、割り栗石や砂利が配設されている。
【００２０】
次に、本実施形態に係る浸透枡１０Ａにおける処理水の排水方法について以下に示す。
【００２１】
まず、分離槽１に注入させた処理水は、まず、分離槽１の内部に貯留され、最下端に位置する連結パイプ３の開口面３Ａよりも水位が高くなると、図３（ａ）に示すように連結パイプ３を通過して浸透槽２に排水される。
ここで、分離槽１においては、処理水に含有された異物のうち、比較的軽いものは、浮遊ゴミＹとして処理水の水面に浮かび、ゴミ止め部材４により連結パイプ３への侵入を阻止され、比較的重いものは、処理水が連結パイプ３の開口面３Ａまで貯留されるまでの間に、分離槽１の底部に沈殿物Ｘとして蓄積される。これにより、分離槽１において異物が除去された後の処理水が、浸透槽２に排水される。
【００２２】
次に、浸透槽２に排水された処理水は、浸透槽２の内部に貯留され、排水パイプ５の軸方向一端側が固定された開口面２Ｂよりも水位が高くなると、図３（ｂ）に示すように開口面２Ｂを介して排水パイプ５を通過し、排水パイプ５の軸方向他端側と排出口５ａとから浸透槽２外部の地中に排水される。
【００２３】
すなわち、本実施形態に係る浸透枡１０Ａによれば、分離槽１の内部において連結パイプ３の開口部３Ａ近傍に、処理水の水位に合わせて上下動可能となるようにゴミ止め部材４を設けたことにより、処理水の水位とともに移動する浮遊ゴミＹが連結パイプ３内に進入し難くなるため、異物による連結パイプ３の閉塞を防止できる。よって、汚水や雨水の浸透速度、水位の増減速度、及び異物の種類等に係らず、異物による連結部パイプ３の閉塞を防止できるため、優れた浸透率を長期間維持することができる。
【００２４】
また、本実施形態に係る浸透枡１０Ａによれば、分離槽１において処理水に含有される異物を除去した後に、浸透槽２に排水し、この浸透槽２から地中に処理水を排水するようにしたことにより、処理水の清浄度を向上させることができるため、生活用水等の汚水であっても安心して排水することができる。
【００２５】
さらに、本実施形態に係る浸透枡１０Ａによれば、連結パイプ３を、分離槽１から浸透槽２に向かって上昇するように傾斜させたことにより、分離槽１側の開口面３Ａからの異物の侵入を効果的に阻止できる。
【００２６】
さらに、本実施形態に係る浸透枡１０Ａによれば、３本の連結パイプ３を、分離槽１及び浸透槽２の高さ方向に所定間隔を空けて、略同一勾配で設けたことにより、分離槽１の底部に異物の沈殿物Ｘが蓄積されて、最下端に位置する連結パイプ３の開口面３Ａが閉塞された場合であっても、その直上に位置する連結パイプ３を利用して、連続して分離槽１から浸透槽２への排水を行うことができる。よって、上述した特許文献１に記載の浸透枡の場合と比べて、底部に蓄積された沈殿物Ｘを除去する保守作業を頻繁に行わなくても、優れた浸透率を長期間維持することができる。
【００２７】
さらに、本実施形態に係る浸透枡１０Ａによれば、排水パイプ５を固定する開口面２Ｂを、浸透槽２における連結パイプ３の最下端の開口面３Ｂよりも低い位置に設けたことにより、浸透槽２に貯留された処理水が連結パイプ３を介して分離槽１に逆戻りすることなく、排水パイプ５を介して地中に排水させることができる。また、浸透槽２の側面に排水パイプ５を設けたことにより、浸透槽２を無底として、底面のみから地中に排水する場合と比べて、より地表に近い部分から排水することができるため、水圧や水力が大きくなり、浸透率をより向上させることができる。
【００２８】
さらに、本実施形態に係る浸透枡１０Ａによれば、中空状の半円柱からなる排水パイプ５を、その円弧面を底面側に、排出口５ａを上面側に配置した状態で、浸透槽２の開口面２Ｂに突設させたことにより、浸透槽２から排水された処理水を多方面に浸透させることができるため、浸透率をより向上させることができる。
【００２９】
なお、本実施形態に係る浸透枡１０Ａにおいては、分離槽１と浸透槽２を同一形状で構成したが、これに限らず、分離槽１と浸透槽２を異なる大きさや形状で構成してもよい。ここで、分離槽１の底部に蓄積される沈殿物Ｘを除去する保守作業の頻度を少なくするために、分離槽１の鉛直方向の長さをできる限り長くすることが好ましい。
【００３０】
また、本実施形態に係る浸透枡１０Ａにおいて、浸透槽２の側面に設ける排水パイプ５の構成はこれに限らず、図４（ａ）に示すように、排水パイプ５の周面全体に複数の孔からなる排出口５ａを有する構成としてもよいし、図４（ｂ）に示すように、排水パイプ５の周面に枝状に突設する排出口５ａを有する構成としてもよい。
さらに、本実施形態に係る浸透枡１０Ａにおいては、連結パイプ３の開口面３Ａ，３Ｂを、分離槽１及び浸透槽２の各内側面に突出しないように略面一に設けた構成としたが、これに限らず、連結パイプ３の開口面３Ａ，３Ｂを、分離槽１及び浸透槽２の内部に突出した状態で設けるようにしてもよい。
【００３１】
＜第二実施形態＞
図５は、本考案に係る浸透枡の一例を示し、（ａ）は平面図、（ｂ）は図５（ａ）のＡ−Ａ断面図である。図６は、本考案に係る浸透枡の一使用例を示す断面図である。
【００３２】
この浸透枡１０Ｂは、図５に示すように、無底のコンクリート製中空状角柱からなる本体部１１を、軸方向に延伸して設けられた仕切り部１２で仕切ることで、分離槽（第一処理槽）１と浸透槽（第二処理槽）２とが設けられている。また、分離槽１と浸透槽２とは仕切り部１２を貫通して設けられた連結パイプ（連結管）３で連結され、分離槽１に注入された処理水（雨水や汚水）が浸透槽２に排水可能となっている。
なお、この浸透枡１０Ｂは、地中に掘削加工を施して設けた孔の底部に割れ栗石を敷き詰めた後に設置され、その全周面を割れ栗石や砂利等で埋め戻すことで、地中に埋設されている。すなわち、浸透枡１０Ｂの内部底面には、割れ栗石が敷設されている。
【００３３】
連結パイプ３は、分離槽１から浸透槽２に向かって上昇するように傾斜させた状態で、その軸方向中央部が、仕切り部１２に設けられた開口面１２Ａに固定されている。また、連結パイプ３は、仕切り部１２の高さ方向に所定間隔を空けて、略同一勾配で３本設けられている。さらに、連結パイプ３は、その軸方向両端の開口面３Ａ，３Ｂが分離槽１及び浸透槽２の内部に突出した状態で設けられている。
【００３４】
分離槽１の内部において、その連結パイプ３の開口面（開口部）３Ａ近傍には、分離槽１の内部に貯留された処理水の水位に合わせて上下動可能なゴミ止め部材（異物阻止部材）４が設けられている。ここで、ゴミ止め部材４の構成は、上述した第一実施形態と同様であるので説明を省略する。
【００３５】
浸透槽２の底面において、この浸透槽２の側面をなす本体部１１と近接する位置には、中空状の円柱からなる３本のヒューム管（排水管）６が、所定間隔を空けた状態で鉛直方向に向かって配設されているとともに、これらのヒューム管６を囲むように、砕石７や砂利８が敷設されている。ここで、ヒューム管６は、その上端面６Ａが浸透槽２の底面よりも上方に突出した状態で設けられている。
【００３６】
浸透槽２の仕切り部１２と対向する側面において、浸透槽２の内部における連結パイプ３の最下端の開口面３Ｂよりも低い位置には、開口面１２Ｂが設けられている。そして、この開口面１２Ｂには、中空状の半円柱からなる排水パイプ（排水管）５の軸方向一端側が、その円弧面を底面側に、排出口５ａとなる開口面を上面側に配置した状態で固定されている。
【００３７】
次に、本実施形態に係る浸透枡１０Ｂにおける処理水の排水方法について以下に示す。
【００３８】
まず、分離槽１に注入された処理水は、まず、分離槽１の底面から排水される。ここで、分離槽１に注入される処理水の水量が増加し、分離槽１の底面からの排水だけでは処理しきれなくなると、分離槽１の内部に処理水が貯留される。そして、最下端に位置する連結パイプ３の開口面３Ａよりも水位が高くなると、図６（ａ）に示すようにして連結パイプ３を通過して浸透槽２に排水される。
ここで、分離槽１においては、処理水に含有された異物のうち、比較的軽いものは、浮遊物Ｙとして処理水の水面に浮かび、ゴミ止め部材４により連結パイプ３への侵入を阻止され、比較的重いものは、処理水が分離槽１の内部に連結パイプ３の開口面３Ａまで貯留されるまでの間に、分離槽１の底部に沈殿物Ｘとして蓄積される。これにより、異物が除去された後の処理水が、浸透槽２に排水される。
【００３９】
次に、浸透槽２に排水された処理水は、浸透槽２の底面から排水される。ここで、分離槽１から浸透槽２に排水される処理水の水量が増加し、浸透槽２の底面からの排水だけでは処理しきれなくなると、浸透槽２の内部に処理水が貯留される。そして、浸透槽２の内部に貯留された処理水の水位が、底部に突設されたヒューム管６の上端面６Ａよりも高くなると、図６（ｂ）に示すように、ヒューム管６の上端面６Ａからも処理水が排水されるようになる。
【００４０】
また、浸透槽２の内部に貯留された処理水が、浸透槽２の底面やヒューム管６からの排水だけでは処理しきれなくなると、浸透槽２の内部にさらに処理水が貯留され、図６（ｃ）に示すように、排水パイプ５が固定された開口面１２Ｂよりも水位が高くなると、この開口面１２Ｂからも処理水が排水されるようになる。
【００４１】
すなわち、本実施形態に係る浸透枡１０Ｂによれば、分離槽１の内部において連結パイプ３の開口面３Ａ近傍に、処理水の水位に合わせて上下動可能となるようにゴミ止め部材４を設けたことにより、上述した第一実施形態と同様に、異物による連結パイプ３の閉塞を防止でき、優れた浸透率を長期間維持することができる。
【００４２】
また、本実施形態に係る浸透枡１０Ｂによれば、分離槽１の底面や、浸透槽２の底面、ヒューム管６、及び排水パイプ５を介して処理水を排水するようにしたため、浸透率をより向上させることができる。
【００４３】
さらに、本実施形態に係る浸透枡１０Ｂによれば、分離槽１と浸透槽２とが一体に構成されたものであるため、地中への埋設工事を簡単に行うことができる。
【００４４】
なお、第一及び第二実施形態に係る浸透枡１０Ａ，１０Ｂにおいては、ゴミ止め部材４として、平板部材４１に固定させた浮き部材４２で構成し、このゴミ止め部材４を支持棒４３により上下動可能とした場合について説明したが、ゴミ止め部材４及びこのゴミ止め部材４を上下動可能に支持する手段はこれに限らず、適宜変更することができる。例えば、浮き部材４２に固定された平板部材４１を、分離槽１の底部に固定されたアンカー部材と紐状部材で連結させた構成としてもよい。
【００４５】
また、第一及び第二実施形態に係る浸透枡１０Ａ，１０Ｂにおいては、分離槽１と浸透槽２とをそれぞれ一つずつ設けた構成について説明したが、これに限らず、分離槽１や浸透槽２を二以上設けた構成としてもよい。ここで、分離槽１を二以上設けた構成とすれば、処理水の清浄度をより向上させることができ、浸透槽２を二以上設けた構成とすれば、処理水の浸透率をより向上させることができる。
【００４６】
さらに、第一及び第二実施形態に係る浸透枡１０Ａ，１０Ｂにおいては、分離槽１と浸透槽２とをいずれも有底又は無底とした構成について説明したが、これに限らず、分離槽１と浸透槽２のいずれか一方のみを有底とし、他方を無底とした構成としてもよい。但し、地中に清浄度の高い処理水のみを排水するためには、分離槽１を有底とすることが好ましい。
【００４７】
さらに、第一及び第二実施形態に係る浸透枡１０Ａ，１０Ｂにおいては、分離槽１の内部において連結パイプ３の開口面３Ａ近傍にゴミ止め部材４を設けた構成としたが、これに限らず、浸透槽２の内部において排水パイプ５が固定された開口面２Ｂ，１２Ｂ近傍にもゴミ止め部材４を設けた構成としてもよい。この構成にすれば、異物による排水パイプ５の閉塞も防止できるため、優れた浸透率をさらに長期間維持することが可能となる。
【００４８】
さらに、第一及び第二実施形態に係る浸透枡１０Ａ，１０Ｂにおいては、いずれも分離槽１及び浸透槽２からなる二槽構造とした場合について説明したが、これに限らず、浸透枡を、側面に貫通孔が設けられた浸透槽（処理槽）のみからなる一槽構造とし、この浸透槽内における貫通孔近傍に、上述した第一及び第二実施形態で示したゴミ止め部材（異物阻止部材）を設けるようにしてもよい。
【図面の簡単な説明】
【００４９】
【図１】本考案に係る浸透枡の一例を示し、（ａ）は平面図、（ｂ）は図１（ａ）のＡ−Ａ断面図である。
【図２】本考案に係る浸透枡で用いられる排水パイプを示す斜視図である。
【図３】図１に示す浸透枡の一使用例を示す断面図である。
【図４】本考案に係る浸透枡で用いられる排水パイプの他の例を示す斜視図である。
【図５】本考案に係る浸透枡の他の例を示し、（ａ）は平面図、（ｂ）は図５（ａ）のＢ−Ｂ断面図である。
【図６】図５に示す浸透枡の一使用例を示す断面図である。
【符号の説明】
【００５０】
１    分離槽（第一槽）
２    浸透槽（第二槽）
３    連結パイプ（連結管）
３Ａ，３Ｂ  開口面
４    ゴミ止め部材（異物侵入阻止部材）
５    排水パイプ（排水管）
５ａ  排出口
６    ヒューム管（排水管）
７    砕石
８    砂利
１０Ａ，１０Ｂ    浸透枡
Ｘ    沈殿物（異物）
Ｙ    浮遊ゴミ（異物）
【図１】
0003128541.tif 000003
【図２】
0003128541.tif 000004
【図３】
0003128541.tif 000005
【図４】
0003128541.tif 000006
【図５】
0003128541.tif 000007
【図６】
0003128541.tif 000008